(57)【要約】【課題】  全体画像上の注目領域をオペレーターがその都度目視で画像上を探しながら順に処理する必要があり、離散的に位置する処理個所を効率よく確認でき画像編集作業を行うことができる構成のものではなかった。【解決手段】  画像上の任意の編集位置情報を予め記憶し、編集前後の状態を、拡大比較画像リストとして表示する。【選択図】        図１
2006157613.tif 000002
【特許請求の範囲】
【請求項１】
デジタル画像を編集する画像処理システムであって、
画像編集を行う画像編集手段と、
画像データ上の少なくとも１つ以上の編集位置を指定する編集位置指定手段と、
前記編集位置指定手段によって指定された編集位置を、編集前の画像データ上あるいは編集後の画像データ上に明示する画像表示手段と、
前記編集位置指定手段によって指定された編集位置近傍の、編集前の拡大画像を拡大画像リストとして表示するか、あるいは編集後の拡大画像を拡大画像リストとして表示するか、あるいは編集前後の拡大画像を比較リストとして表示する拡大画像比較表示手段と、
前記前記編集位置指定手段によって指定された少なくとも１つ以上の編集位置情報、編集前の画像データ及び編集データを関連付けて記憶する記憶手段とを備えることを特徴とする画像処理システム。
【請求項２】
請求項１における画像処理システムにおいて、前記拡大画像比較表示手段によって指定された拡大画像が指示する編集位置情報とともに前記画像編集手段を呼び出し、前記画像編集手段の終了により、前期拡大画像比較表示手段を編集前後の拡大画像比較リストを表示した状態で呼び出す編集制御手段とをさらに備えることを特徴とする画像処理システム。
【請求項３】
デジタル画像を編集する画像処理装置であって、
画像編集を行う画像編集手段と、
画像データ上の少なくとも１つ以上の編集位置を指定する編集位置指定手段と、
前記編集位置指定手段によって指定された編集位置を、編集前の画像データ上あるいは編集後の画像データ上に明示する画像表示手段と、
前記編集位置指定手段によって指定された編集位置近傍の、編集前の拡大画像を拡大画像リストとして表示するか、あるいは編集後の拡大画像を拡大画像リストとして表示するか、あるいは編集前後の拡大画像を比較リストとして表示する拡大画像比較表示手段と、
前記前記編集位置指定手段によって指定された少なくとも１つ以上の編集位置情報、編集前の画像データ及び編集データを関連付けて記憶する記憶手段とを備えることを特徴とする画像処理装置。
【請求項４】
デジタル画像を編集する画像処理プログラムであって、
画像編集を行う画像編集ステップと、
画像データ上の少なくとも１つ以上の編集位置を指定する編集位置指定ステップと、
前記編集位置指定ステップによって指定された編集位置を、編集前の画像データ上あるいは編集後の画像データ上に明示する画像表示ステップと、
前記編集位置指定ステップによって指定された編集位置近傍の、編集前の拡大画像を拡大画像リストとして表示するか、あるいは編集後の拡大画像を拡大画像リストとして表示するか、あるいは編集前後の拡大画像を比較リストとして表示する拡大画像比較表示ステップと、
前記前記編集位置指定ステップによって指定された少なくとも１つ以上の編集位置情報、編集前の画像データ及び編集データを関連付けて記憶する記憶ステップとを備えることを特徴とする画像プログラム。
【請求項５】
デジタル画像を編集する画像処理プログラムが格納されたコンピュータに読み取り可能な記録媒体であって、
画像編集を行う画像編集ステップと、
画像データ上の少なくとも１つ以上の編集位置を指定する編集位置指定ステップと、
前記編集位置指定ステップによって指定された編集位置を、編集前の画像データ上あるいは編集後の画像データ上に明示する画像表示ステップと、
前記編集位置指定ステップによって指定された編集位置近傍の、編集前の拡大画像を拡大画像リストとして表示するか、あるいは編集後の拡大画像を拡大画像リストとして表示するか、あるいは編集前後の拡大画像を比較リストとして表示する拡大画像比較表示ステップと、
前記前記編集位置指定ステップによって指定された少なくとも１つ以上の編集位置情報、編集前の画像データ及び編集データを関連付けて記憶する記憶ステップとをコンピュータに実行させることを特徴とする記録媒体。
【発明の詳細な説明】
【技術分野】
【０００１】
本発明は、デジタル画像に画像処理を行う場合の画像処理システム、画像処理装置及び画像処理プログラムならびにその記録媒体
に関する。
【背景技術】
【０００２】
今日、高画素デジタルカメラ、写真画質インクジェットプリンタの登場により、写真撮影からプリントまでのワークフローを、フルデジタル処理することが可能となっている。営業写真館等では、フルデジタル処理の導入により、従来はラボ店に依頼していた現像、リタッチ、プリント作業の内製化を行うことで、納期短縮、消耗品のコスト削減を考えている店舗が多い。
【０００３】
デジタルワークフローの構築では、従来のアナログワークフローに対し、いかに効率的でかつ利益を生み出すサービス、ワークフローを構築するかが大きな課題である。さらに、カラーマネージメントを理解したデジタル処理を行うことのできる人材の育成、デジタルシステムの管理に伴うシステムメンテナンス費用など、アナログワークフロー時代にはかからなかった人件費、システム維持費がかかる問題点もある。また、内製化は単純に写真館業務での仕事が増加することを意味し、忙しい日常業務の中でデジタル機器を操作してゆくことは、大きな作業負担となる。このため、投資効果が算定できず、なかなかデジタル化に踏み切れない店舗が多い。
【０００４】
この状況のもと、フルデジタルワークフローにおいては、店舗固有の付加価値デジタル処理サービスを行い、これによりプリント注文やリピーターを増加させる手段として利用することが可能である。被写体特有のほくろやしわを薄くしたりして、顧客が意識しないようプリントに反映することは、付加価値サービスとして、顧客満足度を上げることに貢献し、口コミなどによりさらなる顧客を引き寄せる可能性がある。一方、デジタルカメラ特有の問題点である、ＣＣＤに付着したゴミの影響により、撮影画像上に現れたゴミを除去することは、必須のデジタル処理であり、処理に手間がかかる場合がある。
【０００５】
従来、上記のような、例えば、画像内の複数にわたる個所のゴミ除去やほくろ・しわ処理などの画像編集を行う場合、一箇所毎に処理を施してゆくのが通例であった。このような処理を行う場合の参考となる画像処理方法の例として、次の方法がある。第一に、全体画像の一部の選択領域を拡大表示し、全体画像あるいは拡大表示画像の双方を利用して画像の切り抜き、背景画像との合成を容易に行う画像表示システムが開示されている（例えば、特許文献１参照。）。第二に、注目する画像領域と、対応する時系列画像を用いた画像処理によって得られた時系列処理画像を対比しやすい形で提示する画像表示装置が開示されている（例えば、特許文献２参照）。
【特許文献１】特開平７−３２５９３２号公報
【特許文献２】特開平８−７６７４１号公報
【発明の開示】
【発明が解決しようとする課題】
【０００６】
上記、従来の技術では、全体画像上の注目領域をオペレーターがその都度目視で画像上を探しながら順に処理する必要があり、離散的に位置する処理個所を効率よく確認でき画像編集作業を行うことができる構成のものではなかった。
【０００７】
本発明は、上記従来の課題を解決するためになされたものであり、画像上に離散的に位置する処理箇所の画像編集を行う際に、処理すべき個所を容易に管理可能で、処理個所の情報をもとに画像編集を行うことを支援する画像処理システムを提供することを目的とする。
【課題を解決するための手段】
【０００８】
本発明は、上記目的を達成するため、
請求項１に記載の第一の発明は、デジタル画像を編集する画像処理システムであって、画像編集を行う画像編集手段と、画像データ上の少なくとも１つ以上の編集位置を指定する編集位置指定手段と、前記編集位置指定手段によって指定された編集位置を、編集前の画像データ上あるいは編集後の画像データ上に明示する画像表示手段と、前記編集位置指定手段によって指定された編集位置近傍の、編集前の拡大画像を拡大画像リストとして表示するか、あるいは編集後の拡大画像を拡大画像リストとして表示するか、あるいは編集前後の拡大画像を比較リストとして表示する拡大画像比較表示手段と、前記前記編集位置指定手段によって指定された少なくとも１つ以上の編集位置情報、編集前の画像データ及び編集データを関連付けて記憶する記憶手段とを備えることを特徴とする。
【０００９】
請求項２に記載の第二の発明は、請求項１における画像処理システムにおいて、前記拡大画像比較表示手段によって指定された拡大画像が指示する編集位置情報とともに前記画像編集手段を呼び出し、前記画像編集手段の終了により、前期拡大画像比較表示手段を編集前後の拡大画像比較リストを表示した状態で呼び出す編集制御手段とをさらに備えることを特徴とする。
【００１０】
請求項３に記載の第三の発明は、デジタル画像を編集する画像処理装置であって、画像編集を行う画像編集手段と、画像データ上の少なくとも１つ以上の編集位置を指定する編集位置指定手段と、前記編集位置指定手段によって指定された編集位置を、編集前の画像データ上あるいは編集後の画像データ上に明示する画像表示手段と、前記編集位置指定手段によって指定された編集位置近傍の、編集前の拡大画像を拡大画像リストとして表示するか、あるいは編集後の拡大画像を拡大画像リストとして表示するか、あるいは編集前後の拡大画像を比較リストとして表示する拡大画像比較表示手段と、前記前記編集位置指定手段によって指定された少なくとも１つ以上の編集位置情報、編集前の画像データ及び編集データを関連付けて記憶する記憶手段とを備えることを特徴とする。
【００１１】
請求項４に記載の第四の発明は、デジタル画像を編集する画像処理プログラムであって、画像編集を行う画像編集ステップと、画像データ上の少なくとも１つ以上の編集位置を指定する編集位置指定ステップと、前記編集位置指定ステップによって指定された編集位置を、編集前の画像データ上あるいは編集後の画像データ上に明示する画像表示ステップと、前記編集位置指定ステップによって指定された編集位置近傍の、編集前の拡大画像を拡大画像リストとして表示するか、あるいは編集後の拡大画像を拡大画像リストとして表示するか、あるいは編集前後の拡大画像を比較リストとして表示する拡大画像比較表示ステップと、前記前記編集位置指定ステップによって指定された少なくとも１つ以上の編集位置情報、編集前の画像データ及び編集データを関連付けて記憶する記憶ステップとを備えることを特徴とする。
【００１２】
請求項５に記載の第五の発明は、デジタル画像を編集する画像処理プログラムが格納されたコンピュータに読み取り可能な記録媒体であって、画像編集を行う画像編集ステップと、画像データ上の少なくとも１つ以上の編集位置を指定する編集位置指定ステップと、前記編集位置指定ステップによって指定された編集位置を、編集前の画像データ上あるいは編集後の画像データ上に明示する画像表示ステップと、前記編集位置指定ステップによって指定された編集位置近傍の、編集前の拡大画像を拡大画像リストとして表示するか、あるいは編集後の拡大画像を拡大画像リストとして表示するか、あるいは編集前後の拡大画像を比較リストとして表示する拡大画像比較表示ステップと、前記前記編集位置指定ステップによって指定された少なくとも１つ以上の編集位置情報、編集前の画像データ及び編集データを関連付けて記憶する記憶ステップとをコンピュータに実行させることを特徴とする。
【発明の効果】
【００１３】
本発明の画像処理システムによれば、画像上の任意の編集位置情報を予め記憶し、編集前後の状態を、拡大比較画像リストとして表示するようにしたため、容易に補正状況を確認でき、修正個所の編集開始も容易となる。さらに、同一画像データを複数人で編集を行う場合にも、もれなく編集結果を確認しやすい効果がある。
【発明を実施するための最良の形態】
【００１４】
以下、本発明の実施の形態について図面を参照して説明する。
【実施例】
【００１５】
まず、本発明のデジタルワークフローにおける画像処理システムの位置付けを説明するために、営業写真館のデジタルワークフローの一例を、図３を用いて説明する。まず、営業写真館に顧客が来店することによってワークフローが開始される（ステップ３０１）。次に受付処理を行い（ステップ３０２）、顧客は、衣装等の準備を整えて、撮影スタジオへ移動する。撮影スタジオでは、写真家が露出確認など、撮影の準備を整え、撮影を行う（ステップ３０３）。次に、顧客は、撮影画像のプレゼンテーションを受け、プリント注文に利用する画像の選択を行う（ステップ３０４）。画像が確定すると、用紙サイズや、台紙種類、トリミングの指定、要望を指定し、注文を行う（ステップ３０５）。次に、注文内容に基づき、撮影画像に対して、店舗特有の修正処理（仕上げ）が行われる（ステップ３０６）。本画像処理システムはこの段階で利用されるものである。修正処理には、しみ・しわを薄くしたりするなど顧客固有の要望や、店舗固有の付加価値サービス処理である美肌処理などが行われる。また、デジタルカメラ固有の問題点ではあるが、ＣＣＤに付着したゴミ除去処理を行う場合もある。通常、撮影時にも撮影画像の確認は行うが、改めて入念に画像をチェックしゴミが確認された場合はゴミ除去処理が必要となる。しみ・しわ処理、ゴミ除去処理は一箇所ではなく、複数箇所におよぶ場合もあり、処理個所を容易にチェックする機能が必要となる。修正が終了すると、注文に基づいてプリントが行われる（ステップ３０７）。プリントが終了すると、台紙などの仕上げ処理を行った後、顧客に完成物を引き渡して（ステップ３０８）、料金精算を行い、終了となる（ステップ３０９）。
【００１６】
次に、図１は、本発明の画像処理システムを適用したブロック図を示す。図中、符号１０１は画像表示手段であり、画像上の編集位置を指定する符号１０２に示す編集位置指定手段によって編集位置指定を行うために、オリジナルの撮影画像を表示、あるいは編集済みの画像の表示を行うものである。符号１０３は、編集位置指定手段１０２によって指定された画像上の編集位置近傍の拡大画像をリスト表示するもので、編集前の拡大画像リスト、編集後の拡大画像リスト、あるいは編集前後の拡大画像比較リストの表示を行う。符号１０４は、画像編集を行う画像編集手段である。符号１０５は、編集位置指定手段１０２によって指定されている画像上の位置情報とともに画像編集手段１０４を呼び出すことにより編集個所を明示し、編集支援を行う編集制御手段である。符号１０６は、記憶手段であり、撮影したオリジナルの画像データ（符号１０７）、画像編集手段によって編集された編集済みの画像データあるいは編集情報を保存した編集データ（符号１０８）、及び編集位置指定手段１０２によって指定された画像上の少なくとも１つ以上の編集位置データ（符号１０８）を、関連付けデータ（符号１０９）にて関連付け記憶する。符号１１１は、画像表示手段１０１、編集位置指定手段１０２、拡大画像比較表示手段１０３、画像編集手段１０４、編集制御手段１０５を統合して、画像処理手段と称したものである。
【００１７】
図２は、本発明の画像処理システムを実現するハードウェア構成を示すブロック図である。同図において、符号２０１は、演算及び制御用の中央演算処理部（ＣＰＵ）である。符号２０２は、本発明の画像処理を行うプログラムが格納されたＲＯＭである。符号２０３は、画像処理プログラムが実行される場合に、プログラムがロードされる実行領域、及びプログラムの作業領域が確保されるＲＡＭである。符号２０４は、オペレーターが操作やデータ入力を行うためのキーを有するキーボードである。符号２０５は、ディスプレイ２０６に表示された指示アイコンをクリックする、あるいはカーソルを移動して操作の指示を行うマウスなどのポィンティングデバイスである。符号２０７は、画像データ、画像処理プログラム、あるいは印刷用のスプールデータを格納する記憶装置（ハードディスク（ＨＤ））である。ディスプレイ２０６はタッチパネルでもよい。符号２０８は、外部画像処理システムとのデータ交換や、画像データ及びプログラムが格納される、フロッピィー（登録商標）ディスクや光磁気ディスク（ＭＯ）などのリムーバブルメディアである。符号２０９は印刷装置（プリンタ）であり編集前、あるいは編集後の画像が印刷される。符号２１０は、デジタル画像の入力を行うフィルムスキャナーやデジタルカメラ等のデジタル画像の入力デバイスである。符号２１１は画像システム内の各デバイスを相互に接続するバスである。
【００１８】
尚、図１における画像処理手段１１１は、ＣＰＵ２０１、ＲＡＭ２０３、キーボード２０４、マウス２０５、ディスプレイ２０６、ＨＤ２０７により構成される。
【００１９】
次に図４では、本発明の画像処理システムを適用した場合の、画像上の編集位置を指定するユーザーインターフェースの例を示したものである。図中、符号４０１は、画像全体を示す、あるいはゴミ等を発見するために画像拡大表示可能な画像表示領域である。符号４０２は、編集位置指定手段の機能として、編集位置を特定するために表示されているマウスポインタである。指定個所の位置を特定すると、マウスのダブルクリックや、「追加」ボタン（符号４０６）の実行により、符号４０３、符号４０４、符号４０５のように、管理番号が付加され、符号４０９に示す位置リストへ追加される。位置リスト４０９内では、指定個所は、近傍とともに画像は拡大表示され、「削除」ボタン（符号４１０）の実行により、位置リスト４０９から削除される。符号４０７の「元画像」ボタン、符号４０８の「修正画像」ボタンは、画像表示領域４０１に表示する画像を切り替えるためのもので、図４においては、元画像が表示された状態を示す。また、編集が行われておらず、編集データが存在しない場合は、「修正画像」４０８を実行することはできない。符号４１２は、位置リストにおいて、補正前後の比較状態を確認するためのチェックボタン機能である。符号４１２においても、編集が行われておらず、編集データが存在しない場合は、実行はできない。符号４１３は、画像の拡大縮小を行うボタンである。
【００２０】
図５は、図４の状態から、位置リスト内の任意の位置指定個所を選択し、「編集」ボタンを実行した場合に表示される画像編集を行うユーザーインターフェースの例である。符号５０１は、例えば、位置リスト４０９内の管理番号００１が指定されて「編集」を実行した場合の編集領域の表示例であり、指定個所が編集領域５０１のセンターに表示され、指定個所を容易に編集開始できる。この制御は、編集制御手段１０３により、編集位置データ１０７を用いて実行される。また、符号５０２は全体画像、符号５０３は、編集領域５０１に表示されている領域を図示しているものである。符号５０４は、編集に利用するブラシを示す。符号５０５は、位置リスト４０９と同様のもので、位置リスト５０５内を選択することで、容易に、編集領域５０１の画像を変更できるようになっている。編集が完了したなら、「終了」ボタンを実行することで、画像編集を終了する。図５の編集ユーザーインターフェース終了後は、図６に示す画像処理前後の比較確認を行うユーザーインターフェースが表示される。
【００２１】
図６において、画像表示領域４０１に表示されている画像は、修正画像（符号６０１）であることを示す。符号６０２は、符号４１２に示したチェックボタンがチェック状態となり、符号６０３に示す位置リスト内では、補正前後の様子が拡大画像として比較可能となっている。この状態ら比較画像を選択し、「編集」ボタンを実行すれば、再び図５に示した編集ユーザーインターフェースに移行する。
【００２２】
図７では、さらに図４との違いをみるために、修正画像表示の表示例を示したものであり、図６の状態からは、符号４１２のチェックボタンのチェックをはずすことで移行する。符号７０１の拡大画像の位置リストには、修正済みの拡大画像が表示される。
【００２３】
図８は、図４、図５、図６、図７に示したユーザーインターフェース画面の制御フローを示したもので、編集制御手段１０３により実行されるものである。まず、図４の拡大位置チェックリストを設定するユーザーインターフェースが表示されることにより、このフローは開始する（ステップ８０１）。次に、編集位置指定手段１０４の機能により、編集位置を指定し、図９、図１０にて後述する画像と関連付けられた編集位置データに位置情報を追加する（ステップ８０２）。次に、「編集」ボタンにより画像編集を開始する（ステップ８０３）。画像編集は図５に示した画像編集を行うユーザーインターフェース上で、画像編集手段１０９によって行われる。次に修正が終了したかどうかにより（ステップ８０４）、「終了」ボタン５０６を実行し編集を終了すると、図６に示したユーザーインターフェースとなる（ステップ８０５）。ステップ８０４において、他個所の修正がある場合は、位置リスト５０５内から他個所を選択し、編集を続行する。ステップ８０５の状態から、修正がよいかどうか判断し（ステップ８０６）、さらに修正が必要な場合は、ステップ８０３に戻り修正を続行する。ステップ８０６において、修正を終了する場合、再度修正個所があるかどうか判断され（ステップ８０７）、修正を終了する場合、このフローは終了する（ステップ８０８）。ステップ８０７において、さらに修正個所を追加して編集を行う場合は、再度ステップ８０２に戻り編集位置指定を行い、画像編集を続行する。
【００２４】
図９では、編集位置指定手段１０２によって指定され、編集位置データ１０９として記憶手段１０５に記憶される編集位置データのファイルであるｉｍａｇｅ１．ｐｏｓの内容記述例を示す。例では、ＩＤ＝００１、００２の２つの位置が記憶され、画像上のＸＹ画素座標がそれぞれ、ＩＤ＝００１の場合は、｛Ｘ，Ｙ｝＝｛１００、２００｝、ＩＤ＝００２に場合には、｛Ｘ，Ｙ｝＝｛１５０、２５０｝と記憶されていることを示す。
【００２５】
図１０では、記憶手段１０６が、画像データ１０７と編集データ１０８、および編集位置データ１０９を関連付け記憶する関連付けデータ１１０のファイルであるｉｍａｇｅ１．ａｔｔｒの内容記述例を示す。例においては、画像データ１０７に相当するファイルが＜Ｏｒｉｇｉｎａｌ＞ｉｍａｇｅ１．ｔｉｆｆ＜／Ｏｒｉｇｉｎａｌ＞、編集データ１０９に相当するファイルが＜Ｅｄｉｔｅｄ＞ｉｍａｇｅ１．０．ｔｉｆｆ＜／Ｅｄｉｔｅｄ＞、編集位置データ１０９に相当するファイルが、＜Ｐｏｓｉｔｉｏｎ＞ｉｍａｇｅ１．ｐｏｓ＜／Ｐｏｓｉｔｉｏｎ＞として管理されていることを示す。
【００２６】
本発明は、上述した実施の形態の機能を実現するソフトウェアのプログラムをコンピュータ又はＣＰＵに供給し、そのコンピュータ又はＣＰＵが該供給されたプログラムを読出して実行することによっても本発明の目的が達成されることは云うまでもない。
【００２７】
この場合、上記プログラムは、不図示の該プログラムを記録した記録媒体から直接、又はインターネット、商用ネットワーク、若しくはローカルエリアネットワーク等に接続される不図示の他のコンピュータやデータベース等からダウンロードすることにより供給される。
【００２８】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００２９】
更にまた、上述した実施の形態の機能を実現するソフトウェアのプログラムを記録した記録媒体をコンピュータに供給し、そのコンピュータが記録媒体に格納されたプログラムを読出し実行することによっても、本発明の目的が達成されることは云うまでもない。
【００３０】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−ＲＯＭ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。
【図面の簡単な説明】
【００３１】
【図１】本発明の画像処理システムのブロック図
【図２】本発明の画像処理システムを実現するハードウェア構成を示すブロック図
【図３】本発明の画像処理システムが利用される営業写真館の作業フロー例
【図４】本発明の画像処理システムを適用した場合の、拡大位置チェックリストを設定するユーザーインターフェースの例
【図５】本発明の画像処理システムを適用した場合の、画像編集を行うユーザーインターフェースの例
【図６】本発明の画像処理システムを適用した場合の、画像処理前後の比較確認をユーザーインターフェースの例
【図７】本発明の画像処理システムを適用した場合の、画像処理後の拡大位置チェックリストを確認するユーザーインターフェース
【図８】本発明の画像処理システムを適用した場合の、画像処理手順
【図９】本発明の画像処理システムを適用した場合の、画像毎に記憶される編集位置情報の例
【図１０】本発明の画像処理システムを適用した場合の、画像データ、編集位置データ、編集データを関連付けるデータ
【符号の説明】
【００３２】
１０１  画像表示手段
１０２  編集位置指定手段
１０３  拡大画像比較表示手段
１０４  画像編集手段
１０５  編集制御手段
１０６  記憶手段
１０７  画像データ
１０８  編集データ
１０９  編集位置データ
１１０  関連付けデータ
１１１  画像処理手段
２０１  ＣＰＵ
２０２  ＲＯＭ
２０３  ＲＡＭ
２０４  キーボード
２０５  ポィンティングデバイス
２０７  ハードディスク（ＨＤ）
２０８  リムーバブルメディア
【図１】
2006157613.tif 000003
【図２】
2006157613.tif 000004
【図３】
2006157613.tif 000005
【図４】
2006157613.tif 000006
【図５】
2006157613.tif 000007
【図６】
2006157613.tif 000008
【図７】
2006157613.tif 000009
【図８】
2006157613.tif 000010
【図９】
2006157613.tif 000011
【図１０】
2006157613.tif 000012